(57)【要約】【課題】便座支持部材と便器本体上面との間からの臭気発生を容易に防止することができる便器設備を提供する。【解決手段】便座３ｅ及び便蓋３ｆが起倒方向回動自在に取り付けられている便座支持部材２は、座部の前部に配置された昇降可能なフロントベースプレート３ａと、無底箱状の合成樹脂製のカバー３ｄとによって外殻が形成されている。このフロントベースプレート３ａに人体臀部を温水で洗浄するための温水洗浄ノズルが設置されている。このフロントベースプレート３ａの底面には、便座支持部材２が浮上したときにその下側領域Ｓに向って紫外線を照射する紫外線ＬＥＤ３ｇが設けられている。人体が検知されないときに便座支持部材２が浮上し、ＬＥＤ３ｇが点灯する。【選択図】図１
2006296799.tif 000002
【特許請求の範囲】
【請求項１】
便器本体の後部上面に設けられる便座支持部材と、
該便座支持部材に支持された便座とを備えた便器設備において、
該便座支持部材の下面及び／又は該便器本体の上面に向って紫外線を照射する紫外線光源を設けたことを特徴とする便器設備。
【請求項２】
請求項１において、前記紫外線光源は面状発光体よりなることを特徴とする便器設備。
【請求項３】
請求項１又は２において、前記便座支持部材は少なくともその前部が前記後部上面から離隔可能であり、前記紫外線光源は、離隔する該便座支持部材及び／又は該後部上面、あるいは該便座支持部材と該後部上面との間に設けられていることを特徴とする便器設備。
【請求項４】
請求項３において、前記便座支持部材が前記後部上面から離隔した状態にあるときに前記紫外線光源を点灯させるか又は光量を増大させる紫外線光源制御手段を備えたことを特徴とする便器設備。
【請求項５】
請求項３又は４において、便器本体近傍の人体を検知する人体検知手段と、該人体検知手段が人体不検知であるときに前記便座支持部材を前記後部上面から離隔させる手段を備えたことを特徴とする便器設備。
【請求項６】
請求項５において、人体検知手段が人体を検知すると、前記紫外線光源を消灯するか又は光量を低下させると共に、前記便座支持部材を前記後部上面に対し接近させる手段を備えたことを特徴とする便器設備。
【請求項７】
請求項３又は４において、前記便座支持部材が前記後部上面から離隔した後、所定時間が経過すると、前記紫外線光源を消灯するか又は光量を低下させると共に前記便座支持部材を前記後部上面に対し接近させる手段を備えたことを特徴とする便器設備。
【請求項８】
請求項１ないし７のいずれか１項において、前記便座支持部材に便蓋が支持されており、前記紫外線光源が点灯するか又は光量を増大させるときに便蓋を閉める便蓋制御手段を備えたことを特徴とする便器設備。
【請求項９】
請求項１ないし８のいずれか１項において、前記便座支持部材が前記後部上面から離隔した状態にあるときに該便座支持部材の下面に風を吹き出す吹出手段を備えたことを特徴とする便器設備。
【請求項１０】
便器本体の後部上面に設けられる便座支持部材と、
該便座支持部材に支持された便座とを備えた便器設備において、
該便座支持部材とその下側の便器本体との間に向って風を吹き出す吹出手段を設けたことを特徴とする便器設備。
【請求項１１】
請求項１０において、該吹出手段は、温風を吹き出すものであることを特徴とする便器設備。
【請求項１２】
請求項１１において、該吹出手段は、人体臀部乾燥用温風ファンからの温風を吹き出すものであることを特徴とする便器設備。
【請求項１３】
請求項１０ないし１２のいずれか１項において、便器本体近傍の人体を検知する人体検知手段と、該人体検知が人体不検知であるときに前記吹出手段を作動させる制御手段を備えたことを特徴とする便器設備。
【請求項１４】
請求項９ないし１３のいずれか１項において、前記吹出手段の動作と連動して作動する脱臭装置又はトイレルーム用換気装置を備えたことを特徴とする便器設備。
【発明の詳細な説明】
【技術分野】
【０００１】
本発明は、便座支持部材を便器本体の後部上面に対し接離させる機構を備えた便器設備に関する。
【背景技術】
【０００２】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材としてのロータンクカバーの前部を洋風便器に対し上下動可能とし、洋風便器の清掃時に該ロータンクカバーの前部を便座と共に上方に移動（浮上）させるようにしたものが提案されている（特開２０００−３３０５１号公報）。
【０００４】
また、特開２００２−４３８４号公報には、便座支持部材としての便座ボックスを浮上させたときに露出する便器後部上面部分を照明器具により照明することが記載されている。この照明は、便器上面を清掃し易くするために点灯される。
【０００５】
実開平５−１６８８１号には、便器やロータンクの外面に光触媒層を設け、この光触媒層に紫外線ランプから紫外線を照射することが記載されている。
【特許文献１】特開２０００−３３０５１号公報
【特許文献２】特開２００２−４３８４号公報
【特許文献３】実開平５−１６８８１号公報
【発明の開示】
【発明が解決しようとする課題】
【０００６】
本発明は、便座支持部材と便器本体上面との間からの臭気発生を容易に防止することができる便器設備を提供することを目的とする。
【課題を解決するための手段】
【０００７】
請求項１の便器設備は、便器本体の後部上面に設けられる便座支持部材と、該便座支持部材に支持された便座とを備えた便器設備において、該便座支持部材の下面及び／又は該便器本体の上面に向って紫外線を照射する紫外線光源を設けたことを特徴とするものである。
【０００８】
請求項２の便器設備は、請求項１において、前記紫外線光源は面状発光体よりなることを特徴とするものである。
【０００９】
請求項３の便器設備は、請求項１又は２において、前記便座支持部材は少なくともその前部が前記後部上面から離隔可能であり、前記紫外線光源は、離隔する該便座支持部材及び／又は該後部上面、あるいは該便座支持部材と該後部上面との間に設けられていることを特徴とするものである。
【００１０】
請求項４の便器設備は、請求項３において、前記便座支持部材が前記後部上面から離隔した状態にあるときに前記紫外線光源を点灯させるか又は光量を増大させる紫外線光源制御手段を備えたことを特徴とするものである。
【００１１】
請求項５の便器設備は、請求項３又は４において、便器本体近傍の人体を検知する人体検知手段と、該人体検知手段が人体不検知であるときに前記便座支持部材を前記後部上面から離隔させる手段を備えたことを特徴とするものである。
【００１２】
請求項６の便器設備は、請求項５において、人体検知手段が人体を検知すると、前記紫外線光源を消灯するか又は光量を低下させると共に、前記便座支持部材を前記後部上面に対し接近させる手段を備えたことを特徴とするものである。
【００１３】
請求項７の便器設備は、請求項３又は４において、前記便座支持部材が前記後部上面から離隔した後、所定時間が経過すると、前記紫外線光源を消灯するか又は光量を低下させると共に前記便座支持部材を前記後部上面に対し接近させる手段を備えたことを特徴とするものである。
【００１４】
請求項８の便器設備は、請求項１ないし７のいずれか１項において、前記便座支持部材に便蓋が支持されており、前記紫外線光源が点灯するか又は光量を増大させるときに便蓋を閉める便蓋制御手段を備えたことを特徴とするものである。
【００１５】
請求項９の便器設備は、請求項１ないし８のいずれか１項において、前記便座支持部材が前記後部上面から離隔した状態にあるときに該便座支持部材の下面に風を吹き出す吹出手段を備えたことを特徴とするものである。
【００１６】
請求項１０の便器設備は、便器本体の後部上面に設けられる便座支持部材と、該便座支持部材に支持された便座とを備えた便器設備において、該便座支持部材と、その下側の便器本体との間に向って風を吹き出す吹出手段を設けたことを特徴とするものである。
【００１７】
請求項１１の便器設備は、請求項１０において、該吹出手段は、温風を吹き出すものであることを特徴とするものである。
【００１８】
請求項１２の便器設備は、請求項１１において、該吹出手段は、人体臀部乾燥用温風ファンからの温風を吹き出すものであることを特徴とするものである。
【００１９】
請求項１３の便器設備は、請求項１０ないし１２のいずれか１項において、便器本体近傍の人体を検知する人体検知手段と、該人体検知が人体不検知であるときに前記吹出手段を作動させる制御手段を備えたことを特徴とするものである。
【００２０】
請求項１４の便器設備は、請求項９ないし１３のいずれか１項において、前記吹出手段の動作と連動して作動する脱臭装置又はトイレルーム用換気装置を備えたことを特徴とするものである。
【発明の効果】
【００２１】
請求項１の便器設備によると、便座支持部材の下面及び／又は便器本体の後部上面に紫外線光源が照射され、紫外線殺菌されたり、付着有機物が分解されたりすることにより、臭気が防止される。
【００２２】
請求項２によると、便座支持部材の下面及び／又は便器本体の後部上面の広い範囲に紫外線を照射することができる。
【００２３】
請求項３によると、少なくとも便座支持部材の前部を便器本体の後部上面から離隔させて便器本体の後部上面や便座支持部材の下面を清掃したり、紫外線光源をメンテナンスすることができる。
【００２４】
なお、本発明において、便座支持部材を便器本体の後部上面から離隔させるとは、便座支持部材を便器本体の後部上面から上昇させたり、便座支持部材を便器本体の後方や側方へ回動させ（傾け）たりすることにより、該便座支持部材の下面と便器本体の後部上面との間に空間を生じさせることをいう。また、便座支持部材を便器本体の後部上面に接近させるとは、上記のようにして便器本体の後部上面から離隔した便座支持部材を離隔前の位置に復帰させることをいう。
【００２５】
請求項４によると、便座支持部材を便器本体の後部上面から離隔させて便器本体の後部上面や便座支持部材下面の乾燥を促進させつつ、紫外線照射を行うことができる。
【００２６】
請求項５によると、便器本体近傍に人が居ない便器不使用時に便座支持部材が便器本体の後部上面から離隔し、便器本体の後部上面等の乾燥や、紫外線照射を行うことができる。
【００２７】
請求項６によると、紫外線が人体に当たることがない。また、便座支持部材が便器本体の後部上面に接近するので、便座に着座することができる。
【００２８】
請求項７によると、便器が長時間使用されないときには、便座支持部材が自動的に便器本体の後部上面に接近し、次回の便器使用に備える。
【００２９】
この場合、人がトイレルームに入室してきたときに便座支持部材は便器本体の後部上面に接近した状態となっているから、便座支持部材昇降機構について知らない人であっても違和感を感取することがない。
【００３０】
請求項８によると、閉まった便蓋が紫外線を遮光するので、紫外線が周囲に広がったり人に当ったりすることが抑制される。
【００３１】
請求項９，１０によると、便座支持部材と便器本体の後部上面との間の乾燥を促進することにより、臭気が防止される。
【００３２】
請求項１１によると、この乾燥が温風により十分に行われる。
【００３３】
請求項１２によると、温風吹出専用の温風発生手段が不要となり、コスト低減等を図ることができる。
【００３４】
請求項１３によると、便器近傍から人がいなくなると吹出手段が作動するので、人が驚いたりすることが防止される。
【００３５】
請求項１４によると、この風の吹出により臭気が発生しても、この臭気が脱臭されたりトイレルーム外に排出されるので、トイレルーム内に臭気が篭ることが防止される。
【発明を実施するための最良の形態】
【００３６】
以下、図面を参照して実施の形態について説明する。図１は実施の形態に係る便器設備の側面図であり、（ａ）図は便座支持部材の浮上前、（ｂ）図は便座支持部材の浮上後の状態を示している。
【００３７】
陶器製の洋風便器本体１の後部上面に便座支持部材（この実施の形態では便座ボックス）２が昇降可能に設置されており、この便座支持部材２に便座３ｅ及び便蓋３ｆが起倒方向回動自在に取り付けられている。
【００３８】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル（図示略）が設置されている。また、このフロントベースプレート３ａの底面には、便座支持部材２が浮上したときにその下側領域Ｓに向って紫外線を照射する紫外線光源としての紫外線ＬＥＤ３ｇが設けられている。広い範囲に紫外線を照射するために、ＬＥＤを複数個設けるのが好ましい。また、有機ＥＬなどの面状の紫外線発光体を用いてもよい。
【００３９】
図１に図示はしないが、このフロントベースプレート３ａ上には、便座３ｅ及び便蓋３ｆを開閉させるモータ駆動式電動開閉ユニット、人体臀部に向けて温風を吹き出してその乾燥を行うモータ駆動式温風ファン、便鉢内から臭気を含んだ空気を吸引して脱臭するモータ駆動式脱臭ファン及び脱臭カートリッジが設けられている。カバー３ｄには、便器本体１に近づいた人体を検知するための赤外線センサ等よりなる人体検知センサが設けられている。
【００４０】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ、モータ駆動式温水切替弁（図示略）が設けられている。また、図１に図示は省略するが、このリアベースプレート４ａには、便座支持部材２を押し上げたり、降下させたりするためのモータ駆動式浮上ユニット、ヒータ及び電動ファンよりなる部屋暖房ファン、電源基板、制御回路基板、便鉢やトラップ部へ水を供給するためのソレノイド駆動式バルブユニット等が設けられている。
【００４１】
この温水洗浄機構等は、トイレルームの壁面に取り付けられたリモコン（図示略）によって操作される。便座支持部材２又はこのリモコンには、浮上ユニットを昇降操作するための浮上スイッチが設けられている。
【００４２】
なお、便器本体１の外面にはその後部上面も含めて酸化チタン等の光触媒層が設けられている。
【００４３】
この便器設備の作動について次に説明する。
【００４４】
人がトイレルームから退室して人体検知センサが人体不検知になると、浮上ユニットが便座支持部材２を所定高さまで押し上げ、その状態に停止させる。また、便座支持部材２が上昇すると、紫外線ＬＥＤ３ｇが点灯する。これにより、浮上した便座支持部材２の前部の下側スペース（下側領域）Ｓに紫外線が照射され、紫外線殺菌及び付着有機物の分解が行われる。この実施の形態では、便器本体１の外面に光触媒層が設けられており、該光触媒層に紫外線が照射されたときに活性酸素が発生し、付着有機物が効率よく分解される。
【００４５】
人がトイレルーム内に入室し、人体検知センサが人体を検知した場合には、紫外線ＬＥＤ３ｇが消灯すると共に、便座支持部材２が下降し、便器使用に備える。紫外線ＬＥＤ３ｇが消灯するので、紫外線が人体に当たることがない。
【００４６】
なお、人がリモコンの浮上スイッチを操作した場合にも便座支持部材は上昇するが、このときには紫外線ＬＥＤ３ｇは点灯しないように構成されている。このように紫外線ＬＥＤが点灯しないので、該下側領域Ｓに臨む便器本体の上面や、フロントベースプレート３ａの下面等を紫外線を受けることなく清掃することができる。
【００４７】
上記実施の形態では便座支持部材として便座ボックスが図示されているが、ロータンクであってもよい。この便座支持部材は全体が昇降してもよく、前記特開２０００−３３０５１号のように前部のみが昇降してもよい。
【００４８】
本発明では、便座支持部材と便器本体の後部上面との間に若干（例えば５ｍｍ以上）の間隙があくように便座支持部材の下面に突起やリブを設けた場合には、便座支持部材が昇降しなくてもよい。
【００４９】
上記実施の形態では、人が検知されるときには紫外線ＬＥＤ３ｇを消灯させているが、紫外線光量を減少させてもよい。
【００５０】
上記実施の形態では、人を検知していない間は便座支持部材２を上昇させたままとしているが、人を検知しなくなってから所定時間（例えば３０分ないし５時間程度）が経過すると、便座支持部材２を下降させてもよい。また、上記の実施の形態のように、人体検知に応じた自動昇降を停止させるスイッチや機能を設けてもよい。
【００５１】
上記実施の形態では、リモコンに便座３ｅや便蓋３ｆの開閉スイッチを設け、スイッチ操作により便座３ｅや便蓋３ｆを開閉させてもよく、人体検知センサが人を検知すると便蓋を開くようにしてもよい。また、紫外線ＬＥＤ３ｇが点灯しているときには便座３ｅ及び便蓋３ｆを倒伏状態とし、紫外線の拡散を抑制するようにしてもよい。
【００５２】
上記のリモコンや便座支持部材には、紫外線ＬＥＤを手動で点灯及び消灯させるための手動式スイッチを設けてもよく、リモコンの複数のスイッチを所定の順番で操作すると紫外線ＬＥＤが点灯あるいは消灯するよう構成してもよい。
【００５３】
上記実施の形態では、便器本体１の後部上面に向って紫外線を照射するようにフロントベースプレート３ａに紫外線ＬＥＤ３ｇを設けているが、フロントベースプレート３ａに向って下から紫外線を照射するようにリアベースプレート４ａや便器本体１の後部上面等に紫外線ＬＥＤを設けてもよい。図２（ａ）はこのように構成された便器設備の側面図であり、図２（ｂ）は図２（ａ）のＢ部分の拡大図である。なお、図２（ａ）は便座支持部材２の浮上後の状態を示している。
【００５４】
この図２の実施の形態では、便器本体１の最後部上面に取り付けられたリアベースプレート４ａに紫外線ＬＥＤ３ｇ’が設けられている。この実施の形態では、該紫外線ＬＥＤ３ｇ’は、便座支持部材１が便器本体１の後部上面から浮上すると上方へ向って紫外線を照射するように設置されている。なお、この実施の形態でも、広い範囲に紫外線を照射するために、紫外線ＬＥＤ３ｇ’を複数個リアベースプレート４ａに設けるのが好ましい。また、該リアベースプレート４ａ以外の便器本体１の後部上面領域にも紫外線ＬＥＤ３ｇ’を設けてもよい。この実施の形態では、フロントベースプレート３ａを含む便座支持部材２の下面に、酸化チタン等の光触媒層（図示略）が設けられている。
【００５５】
この実施の形態のその他の構成は前述の図１の実施の形態と同様となっており、図２において図１と同一の符号は同一の部分を示している。
【００５６】
この実施の形態にあっては、便座支持部材２が便器本体１の後部上面から浮上すると、紫外線ＬＥＤ３ｇ’が点灯し、下から該便座支持部材２の下面に向って紫外線が照射されて紫外線殺菌及び付着有機物の分解が行われる。なお、この実施の形態では、便座支持部材２の下面に光触媒層が設けられているので、該光触媒層に紫外線が照射されたときに活性酸素が発生し、付着有機物が効率よく分解される。
【００５７】
本発明では、便座支持部材と便器本体の後部上面の双方に向って紫外線を照射するよう構成してもよい。
【００５８】
上記の各実施の形態では、便座支持部材を便器本体の後部上面に対し略垂直に昇降させるよう構成しているが、斜め方向（例えば斜め後方等）に昇降させるよう構成してもよい。また、便座支持部材を便器後方や側方へ回動させる（又は傾ける）ことにより、該便座支持部材が便器本体の後部上面から離隔するよう構成してもよい。
【００５９】
図３は、便座支持部材が便器後方へ向って回動する構成を有する便器設備の側面図であり、（ａ）図は便座支持部材回動前の状態を示し、（ｂ）図は便座支持部材回動後の状態を示している。
【００６０】
この実施の形態では、便器本体１の最後部にロータンク１６が取り付けられ、該ロータンク１６の前面側に、便座支持部材２Ａが設置されている。なお、この実施の形態では、該便座支持部材２Ａが設置された、ロータンク１６と便器本体１の便鉢部（図示略）後縁との間の便器上面領域を便座本体１の後部上面と称する。
【００６１】
この実施の形態では、該便座支持部材２Ａは、ロータンク１６に対し接離するように前後方向へスライド可能に、且つその後端側を回動中心として上下方向に回動可能に設置されている。この便座支持部材２Ａのスライド及び回動機構については後で述べる。
【００６２】
この便座支持部材２Ａは、便器本体１の後部上面に配置されたベースプレート（図示略）と、無底箱状のカバー（符号略）とにより外殻が構成されている。該カバーの前部側に、便座３ｅ及び便蓋３ｆが起倒方向回動可能に取り付けられている。図示はしないが、この実施の形態でも、該ベースプレート上に、温水洗浄ノズル、温風ファン及び脱臭装置等の衛生機器や、便座３ｅ及び便蓋３ｆの電動開閉ユニット等の各種の装置が搭載されている。また、カバーには、便器本体１に近づいた人体を検知するための人体検知センサが設けられている。
【００６３】
該ベースプレートの後端側に回動軸２０が設けられている。この回動軸２０は軸心方向を便器本体１の左右方向として配置されており、便座支持部材２Ａはこの回動軸２０を回動中心として上下に回動する。なお、この実施の形態では、この便座支持部材２Ａの回動及び前後のスライドは手動により行われる。該ベースプレートには、この便座支持部材２Ａの上方への回動（便器本体１からの浮上）を助勢すると共に、該便座支持部材２Ａが下方へ回動（便器本体１へ降下）するときにはその降下速度を抑制するダンパ機構２１が設けられている。
【００６４】
該ダンパ機構２１は、この実施の形態では、便座支持部材２Ａが上方へ回動したときに、前記ベースプレートの便器本体１からの離隔に伴って該ベースプレートの前部の底面から下方へ向って脚状に突出するロッド２１ａと、該ロッド２１ａの後端側が進退可能に挿入されたシリンダ２１ｂと、該シリンダ２１ｂ内に蓄力状態にて収容され、該ロッド２１ａを突出方向に付勢しているスプリング（図示略）と、該ロッド２１ａがベースプレートの底面から所定長さ突出したときに該ロッド２１ａの退動をロックして便座支持部材２Ａを浮上状態に保持するロック機構とを有している。
【００６５】
なお、該スプリングの不勢力は、便座支持部材２Ａの重量に抗してロッド２１ａをベースプレートの底面から突出させて該便座支持部材２Ａを便器本体１から浮上させる程の強さではなく、それよりも若干弱いものとなっている。
【００６６】
図示はしないが、前記カバーには、このダンパ機構２１のロックを解除するためのレバーが設けられている。
【００６７】
便器本体１の後部上面には、便座支持部材２Ａの連結部材２２が取り付けられている。該連結部材２２には、回動軸２０を保持する軸受け溝２２ａが設けられている。この軸受け溝２２ａは、便器本体１の後部上面に沿って前後方向に延在しており、この軸受け溝２２ａに対し、回動軸２０が回動可能に、且つ該軸受け溝２２ａに沿って前後方向にスライド可能に係合している。
【００６８】
この実施の形態では、便座支持部材２Ａのベースプレートの底面に紫外線ＬＥＤ２３が設けられている。この紫外線ＬＥＤ２３は、便座支持部材２Ａが上方へ回動して該ベースプレートの前部が便器本体１の後部上面から浮上したときに、該ベースプレートの下側スペースＳに向って（便器本体１の後部上面に向って）紫外線を照射するよう配置されている。
【００６９】
この実施の形態のその他の構成は前述の図１の実施の形態と同様となっている。
【００７０】
この実施の形態では、通常の使用時（用便時）には、図３（ａ）において二点鎖線にて示されるように、便座支持部材２Ａは便器本体１の後部上面に着底し、且つロータンク１６側へ後退した位置に配置されている。
【００７１】
清掃時やメンテナンス時等には、作業者が手で図３（ａ）のように便座支持部材２Ａを前方へスライドさせ、次いで該便座支持部材２Ａの前部を上方へ持ち上げる。これにより、便座支持部材２Ａがその後端側の回動軸２０を回動中心として上方へ回動し、該便座支持部材２Ａの前部が便器本体１の後部上面から浮上する。この際、該便座支持部材２Ａ（ベースプレート）の底部から脚状にロッド２１ａが突出し、該便座支持部材２Ａの前部が所定高さまで浮上すると、該ロッド２１ａがロックされて該便座支持部材２Ａが浮上状態に保持される。
【００７２】
また、便座支持部材２Ａが浮上すると、紫外線ＬＥＤ２３が点灯する。これにより、浮上した便座支持部材２Ａの前部の下側スペースＳに紫外線が照射され、紫外線殺菌及び付着有機物の分解が行われる。
【００７３】
清掃又はメンテナンス作業終了後、ロック解除レバーを操作してロッド２１ａのロックを解除する。これにより、便座支持部材２Ａが自重により下方へ回動し、該便座支持部材２Ａの前部が便器本体１の後部上面に降下する。なお、この際、ダンパ機構２１の作用により、便座支持部材２Ａは比較的ゆっくりと降下する。該便座支持部材２Ａが便器本体１の後部上面に着底した後、該便座支持部材２Ａを後方へ押して元の位置に復帰させる。
【００７４】
なお、この実施の形態では、便座支持部材２Ａの前後のスライド及び上下の回動を手動で行うよう構成しているが、これらを電動（自動）で行うよう構成してもよい。
【００７５】
この実施の形態では、便座支持部材２Ａの底面に紫外線ＬＥＤ２３を設けているが、便器本体１の後部上面に紫外線ＬＥＤ２３を設け、下から該便座支持部材２Ａの底面に向って紫外線を照射するよう構成してもよい。また、次の図４に示すように、便器本体１の後部上面に取り付けられた連結部材２２等に紫外線ＬＥＤを設けてもよい。なお、図４（ａ）はこのように構成された便器設備の便座支持部材浮上時を示す側面図であり、図４（ｂ）は図４（ａ）のＢ部分の拡大図である。
【００７６】
この図４の実施の形態では、連結部材２２の前面部分に紫外線ＬＥＤ２３’が設けられており、便座支持部材２Ａの前部が便器本体１の後部上面から浮上したときに、該紫外線ＬＥＤ２３’が該便座支持部材２Ａの下側スペースＳに臨んで、該便座支持部材２Ａの底面と便器本体１の後部上面との双方の広い範囲に紫外線を照射するよう構成されている。
【００７７】
この実施の形態のその他の構成は図３の実施の形態と同様である。
【００７８】
上記の各実施の形態では紫外線のみを照射して殺菌等を行うようにしているが、便座支持部材２と便器本体１の後部上面との間に風を吹き出して乾燥を併せて行ったり、乾燥のみを行ったりしてもよい。
【００７９】
この乾燥を行うためには、常温の空気を吹き出してもよいが、温風を吹き出すのが好ましい。この温風を吹き出すためには、便座支持部材２内の人体臀部乾燥用温風ファンを利用するのが、部材コストの低減、機器スペースの節約などの点から好適である。
【００８０】
図５はかかる温風乾燥機構の一例を示すものである。フロントベースプレート３ａ上にエアヒータ及びファンよりなる温風ユニット１０が設置され、ダクト１１が前方に延設されている。ダクト末端１２からは温風が便座に座った人体に向けて吹き出す。このダクト１１の途中の下面に開口１３と開閉式蓋１４が設けられている。この開口１３の下方のベースプレート３ａには開口１５が設けられている。蓋１４は図示しないモータにより、開口１３を閉鎖した倒伏姿勢と、ダクト１１内に起立した姿勢とをとるように回動される。蓋１４を倒伏させた状態で温風ユニット１０を作動させると、矢印Ａのように温風が人体臀部に向って吹き出す。蓋１４を符号１４’の如く起立させて温風ユニット１０を作動させると、開口１３，１５を通って温風がフロントベースプレート３ａの下側に吹き出す。
【００８１】
この温風吹出機構は、人体が人体検知センサで検知されないときに作動されるようにしてもよい。紫外線ＬＥＤの点灯と同期して温風が吹き出すようにしてもよい。便座支持部材２と便器本体１の後部上面との間の湿度を検知して、所定温度以上のときに温風を吹き出すようにしてもよい。
【００８２】
この温風などの風の吹き出し時に併せて前記脱臭ファンを作動させたり、トイレルーム用換気装置を作動させて臭気を除去するようにしてもよい。
【００８３】
なお、本発明においても、便座支持部材が上昇したときにその下側領域を照明する光源を設けてもよい。この光源は、例えば前記リモコン等の浮上スイッチを操作したときに点灯される。
【００８４】
上記実施の形態は本発明の一例であり、本発明は上記以外の構成とされてもよい。例えば、便座支持部材を電動浮上方式としているが、手動にて昇降させるよう構成してもよい。
【図面の簡単な説明】
【００８５】
【図１】実施の形態に係る便器設備の側面図である。
【図２】実施の形態に係る便器設備の側面図及び要部拡大図である。
【図３】実施の形態に係る便器設備の側面図である。
【図４】実施の形態に係る便器設備の側面図及び要部拡大図である。
【図５】別の実施の形態に係る便器設備の温風ユニットの構成を示す縦断面図である。
【符号の説明】
【００８６】
１  便器本体
２，２Ａ  便座支持部材
３ａ  フロントベースプレート
３ｅ  便座
３ｆ  便蓋
３ｇ，３ｇ’，２３，２３’  紫外線ＬＥＤ
１０  温風ユニット
１３，１５  開口
１４  蓋
１６  ロータンク
２０  回動軸
２１  ダンパ機構
２２  連結部材
２２ａ  軸受け溝
【図１】
2006296799.tif 000003
【図２】
2006296799.tif 000004
【図３】
2006296799.tif 000005
【図４】
2006296799.tif 000006
【図５】
2006296799.tif 000007